(57)【特許請求の範囲】
【請求項１】
容器本体に固着されるスパウト本体と、前記スパウト本体の注出口部を閉塞する蓋体とを備えたスパウトにおいて、
前記蓋体は、
前記注出口部を閉塞するキャップと、
前記キャップの下端に切り離し可能に連結されたタンパーリングと
を有し、
前記キャップは、前記注出口部に保持されない状態で、前記注出口部の上半部に嵌合することで、前記注出口部を閉塞するようになっており、
前記注出口部の下半部には、その外周面に雄ねじが形成されており、
前記タンパーリングには、その内周面に前記雄ねじに螺合する雌ねじが形成されており、
前記タンパーリングは、ねじを緩める方向に回り止めされると共に上方に抜け止めされた状態で、前記注出口部の下半部に螺合させることによって保持されていることを特徴とするスパウト。
【発明の詳細な説明】
【技術分野】
【０００１】
この発明は、パウチ容器等に装着されるスパウト、特に、再封不能なスパウトに関する。
【背景技術】
【０００２】
パウチ容器に装着されるスパウトとしては、特許文献１に開示されているように、注出口部に取り付けたスクリューキャップによって、注出口を開閉するツーピースタイプのスパウトや、特許文献２に開示されているように、注出筒の上端部に破断可能な薄肉部を介して連設された閉止部を折り取ることによって開封するワンピースタイプのスパウトがあり、ツーピースタイプのスパウトには、開封されたことが分かるように、注出口部に取り付けたタンパーリングにスクリューキャップが切り離し可能に連設されたタンパーエビデンス構造が採用されているものもある。
【先行技術文献】
【特許文献】
【０００３】
【特許文献１】特開平１１−１８０４６３号公報
【特許文献２】特開２００９−１９０７８１号公報
【発明の概要】
【発明が解決しようとする課題】
【０００４】
ところで、介護食品や医薬品等は、栄養士やドクターの処方に基づき摂取が義務づけられることから、こういった介護食品や医薬品等の一回の摂取量をパウチ容器に充填して供給する場合、パウチ容器一袋分の全てを摂取する必要があるが、スクリューキャップによって注出口を開閉するツーピースタイプのスパウトが装着されたパウチ容器では、一旦開封した後、スクリューキャップによって再封することができるため、充填された介護食品や医薬品等を何回かに分けて摂取する場合があり、介護食品や医薬品等における一回の摂取量分を充填する容器として適しているとは言えない。特に、開封後にすぐに変質してしまう内容物の場合は、その問題が顕著に現れることになる。
【０００５】
これに対して、閉止部を折り取ることによって開封するワンピースタイプのスパウトが装着されたパウチ容器では、一旦開封すると、再封することができないので、介護食品や医薬品等における一回の摂取量分を充填する容器として適しているといえるが、こういったスパウトが装着されたパウチ容器では、スクリューキャップによって注出口を開閉するツーピースタイプのスパウトを装着したパウチ容器のように、内容物をスパウトから充填することができないので、スパウトが装着されたパウチの一部に充填口を形成しておき、その充填口から内容物を充填した後、充填口を閉塞するといった袋充填を採用することになる。
【０００６】
しかしながら、袋充填を採用すると、パウチ内に充填ノズルを挿入するためのスペースが必要になるので、パウチ自体が必要以上に大きくなると共に、パウチの製造コストが高くなるといった問題がある。
【０００７】
そこで、この発明の課題は、一旦開封すると再封することができず、しかも、内容物を充填することができるスパウトを提供することにある。
【課題を解決するための手段】
【０００８】
上記の課題を解決するため、請求項１に係る発明は、容器本体に固着されるスパウト本体と、前記スパウト本体の注出口部を閉塞する蓋体とを備えたスパウトにおいて、前記蓋体は、前記注出口部を閉塞するキャップと、前記キャップの下端に切り離し可能に連結されたタンパーリングとを有し、前記キャップは、前記注出口部に保持されない状態で、前記注出口部の上半部に嵌合することで、前記注出口部を閉塞するようになっており、前記注出口部の下半部には、その外周面に雄ねじが形成されており、前記タンパーリングには、その内周面に前記雄ねじに螺合する雌ねじが形成されており、前記タンパーリングは、ねじを緩める方向に回り止めされると共に上方に抜け止めされた状態で、前記注出口部の下半部に螺合させることによって保持されていることを特徴とするスパウトを提供するものである。
【発明の効果】
【００１０】
以上のように、請求項１に係る発明のスパウトは、ねじを緩める方向に周り止めされると共に上方に抜け止めされた状態で、スパウト本体における注出口部の下半部に螺合させることによって保持されているタンパーリングに切り離し可能に連結されたキャップが、注出口部に保持されない状態で、注出口部の上半部に嵌合することで、注出口部を閉塞するようになっているので、キャップを摘んでねじを緩める方向に回すと、キャップがタンパーリングから切り離されて開封されるが、キャップ自体は、注出口部に保持されないようになっているので、開封後に再封することはできず、介護食品や医薬品等における一回の摂取量分を充填する容器として適している。
【００１１】
しかも、このスパウトが装着されたパウチ容器は、従来から使用されている、スクリューキャップによって注出口部を開閉するツーピースタイプのスパウトが装着されたパウチ容器と同様に、キャップが連結されたタンパーリングを、スパウト本体における注出口部の下半部に螺合させることによって保持する前に、スパウト本体の注出口部からパウチ内に内容物を充填することができるので、パウチ自体が必要以上に大きくなることがなく、パウチの製造コストも最小限に抑えることができる。
【００１２】
また、従来のスクリューキャップタイプのスパウトは、スクリューキャップを緩める方向にタンパーリングを回り止めした状態で、スクリューキャップを注出口部の上半部に螺合させることで、スクリューキャップが連結されたタンパーリングをスパウト本体における注出口部の下半部に保持することになるが、このスパウトは、ねじを緩める方向に回り止めされたタンパーリングを注出口部の下半部に螺合させることで、キャップが連結されたタンパーリングを注出口部の下半部に取り付けて保持するようになっているので、従来のスクリューキャップタイプのスパウトのスパウト本体の注出口部に、タンパーリングが連結されたスクリューキャップを取り付ける装置によって、キャップが連結されたタンパーリングをスパウト本体における注出口部に取り付けることができる。
【図面の簡単な説明】
【００１３】
【図１】この発明に係るスパウトの一実施形態を示す正面図である。
【図２】（ａ）は同上のスパウトにおけるスパウト本体の注出口部を蓋体で閉塞した状態を示す縦断面図、（ｂ）は（ａ）のＸ−Ｘ線に沿った断面図である。
【図３】（ａ）は同上のスパウトにおけるスパウト本体の注出口部を示す縦断面図、（ｂ）は（ａ）のＹ−Ｙ線に沿った断面図である。
【図４】（ａ）は同上のスパウトにおける蓋体を示す縦断面図、（ｂ）は同上の蓋体を示す底面図である。
【図５】（ａ）は同上のスパウトの開封前の状態を示す斜視図、（ｂ）は同上のスパウトの開封後の状態を示す斜視図である。
【図６】同上のタンパーリングの周り止め状態を説明するための説明図である。
【図７】同上のスパウトの開封後の状態を示す縦断面図である。
【発明を実施するための形態】
【００１４】
以下、実施の形態について図面を参照して説明する。図１及び図２に示すように、このスパウト１は、介護食品や医薬品等の一回の摂取量を充填するパウチ容器に採用されるものであり、パウチにヒートシールされるスパウト本体１０と、このスパウト本体１０に取り付けられる蓋体２０とから構成されている。
【００１５】
前記スパウト本体１０は、図１〜図３に示すように、パウチにヒートシールされる横断面舟形状の装着部１１と、この装着部１１の上部に順次連設された把持部１２及び筒状の注出口部１３と、装着部１１の下部に連設された横断面十字形状のリブによって形成された導出補助部１４とから構成されており、導出補助部１４がパウチ内に挿入されることで、パウチを形成している表裏一対の外装シートが密着して装着部１１に形成された内容物の導出孔（図示せず）を閉塞しないようになっている。
【００１６】
前記把持部１２は、所定間隔を開けて形成された、略長方形状の上下一対のフランジ１２ａ、１２ｂを有しており、このフランジ１２ａ、１２ｂの間を把持することで、このスパウト１や、このスパウト１が装着されたパウチ容器を移送することができるようになっている。
【００１７】
前記注出口部１３は、図３（ａ）、（ｂ）に示すように、その下半部が厚肉に形成されていると共に、その厚肉部の外周面には、上側から、径方向外側に張り出す円周状の突条１３ａ、雄ねじ１３ｂ及び周方向に等間隔で配置された、径方向外側に張り出す４つのラチェット歯１３ｃが順次形成されており、各ラチェット歯１３ｃは、注出口部１３を下方側から見て、時計の反回転方向側の張出量が最も大きく、時計の回転方向に向かって徐々に張出量が小さくなっている。
【００１８】
前記蓋体２０は、図１、図２及び図４に示すように、スパウト本体１０の注出口部１３の上半部に嵌合することで注出口を閉塞するキャップ２１と、このキャップ２１の下端に、薄肉の連結部２３を介して切り離し可能に連結されたタンパーリング２２とから構成されており、キャップ２１の内部上面には、注出口部１３の上端部が嵌合する周溝２１ａが形成されている。
【００１９】
前記タンパーリング２２の上端面には、タンパーリング２２を下方側から見て、時計の回転方向側が真上に立ち上がると共に、時計の反回転方向側が下がり傾斜になった略台形状の二対の突起２２ａ、２２ａが形成されており、キャップ２１の下端面には、二対の突起２２ａ、２２ａに嵌合する略同一形状の凹部２１ｂ、２１ｂが形成されている。
【００２０】
また、前記タンパーリング２２の内周面には、上側から、注出口部１３の突条１３ａの下面に係止される、径方向外側に張り出す円周状の突条２２ｂ、注出口部１３の雄ねじ１３ｂに螺合する雌ねじ２２ｃ及び周方向に等間隔で配置された、タンパーリング２２を下方側から見て、時計の回転方向側に張り出す８つのラチェット爪２２ｄが形成されており、タンパーリング２２を注出口部１３の下半部にねじ込む際は、ラチェット爪２２ｄが変形しながら、注出口部１３のラチェット歯１３ｃを乗り越えるようになっているが、一旦、ねじ込んだタンパーリング２２を緩めようとしても、ラチェット爪２２ｄがラチェット歯１３ｃに係止され、タンパーリング２２が周り止めされるので、緩めることができないようになっている（図６参照）。
【００２１】
この蓋体２０を注出口部１３に嵌め込んで、タンパーリング２２の雌ねじ２２ｃを注出口部１３の雄ねじ１３ｂにねじ込むと、図２（ａ）、（ｂ）に示すように、タンパーリング２２の突条２２ｂの上面が注出口部１３の突条１３ａの下面に係止されると共に、キャップ２１の周溝２１ａが注出口部１３の上端部に嵌合することで、注出口がキャップ２１によって閉塞されるようになっている。
【００２２】
なお、タンパーリング２２の雌ねじ２２ｃを注出口部１３の雄ねじ１３ｂにねじ込む際、キャップ２１を持って蓋体２０を回転させても、タンパーリング２２に形成された突起２２ａにおける真上に立ち上がった端面がキャップ２１に形成された凹部２１ｂにおける対応する部分に係止されるので、キャップ２１がタンパーリング２２に対して相対回転して、キャップ２１がタンパーリング２２から切り離されることはない。
【００２３】
以上のように、スパウト本体１０における注出口部１３が蓋体２０によって閉塞されたスパウト１は、図５（ａ）に矢印で示すように、キャップ２１を持ってねじを緩める方向（キャップ２１を真上から見て時計の反回転方向）に回すと、図６に示すように、タンパーリング２２のラチェット爪２２ｄが注出口部１３のラチェット歯１３ｃに係止され、タンパーリング２２は周り止めされるが、キャップ２１は、その凹部２１ｂにおける、タンパーリング２２に形成された突起２２ａの傾斜面に対応する部分が、突起２２ａの傾斜面に沿うように持ち上がりながら回転し始めるので、キャップ２１とタンパーリング２２とを連結している薄肉の連結部２３が破断され、図５（ｂ）及び図７に示すように、キャップ２１がタンパーリング２２から切り離され、開封することができる。
【００２４】
このようにして、タンパーリング２２から切り離したキャップ２１は、スパウト本体１０における注出口部１３に保持することができないので、このスパウト１を一旦開封すると、再封することができない。従って、このスパウト１は、介護食品や医薬品等における一回の摂取量分を充填するパウチ容器用のスパウトとして適していると言える。
【００２５】
しかも、このスパウト１が装着されたパウチ容器は、従来から使用されている、スクリューキャップによって注出口を開閉するツーピースタイプのスパウトが装着されたパウチ容器と同様に、キャップ２１が連結されたタンパーリング２２を、スパウト本体１０における注出口部１３の下半部に係止する前に、スパウト本体１０の注出口部１３からパウチ内に内容物を充填することができるので、パウチ自体が必要以上に大きくなることがなく、パウチの製造コストも最小限に抑えることができる。
【００２６】
特に、このスパウト１は、ねじを緩める方向に回り止めされたタンパーリング２２を注出口部１３の下半部に螺合させることで、キャップ２１が連結されたタンパーリング２２を注出口部１３の下半部に取り付けて保持するようになっているので、スパウト本体１０における注出口部１３に蓋体２０を取り付ける際、従来のスクリューキャップタイプのスパウトの本体部の注出口部に、タンパーリングが連結されたスクリューキャップを取り付ける装置をそのまま使用することができ、既存の装置の有効利用を図ることができる。
【００２７】
なお、上述した実施形態では、蓋体２０のタンパーリング２２をスパウト本体１０における注出口部１３に螺合させると共に、タンパーリング２２のラチェット爪２２ｄと注出口部１３のラチェット歯１３ｃとからなるラチェット機構によって、ねじを緩める方向へのタンパーリング２２の回転を規制することで、タンパーリング２２、即ち、蓋体２０を注出口部１３に保持するようにしているが、これに限定されるものではなく、タンパーリングが、少なくとも一方向に周り止めされると共に、注出口部に一旦嵌め込むと、上方側に容易に抜けないようになっている、所謂「打栓式」のスパウトを採用することもできる。
【００２８】
また、スパウト本体１０の注出口部１３を蓋体２０によって閉塞する際、蓋体２０を指で摘んで、タンパーリング２２を注出口部１３に螺合させる場合は、キャップ２１だけでなく、タンパーリング２２にも指がかかることになるので、タンパーリング２２部分で指が滑って、キャップ２１だけを回すことにならないように、タンパーリング２２の外表面に滑り止めの凹凸、溝またはリブ等を形成しておくことが望ましい。
【００２９】
また、上述した実施形態では、横断面十字形状のリブによって形成された導出補助部１４を備えたスパウト１について説明したが、導出補助部の形状等は限定されるものではなく、導出補助部を省略することも可能である。
【産業上の利用可能性】
【００３０】
一旦開封した後は、再封することができないほうが好ましいパウチ容器に装着されるスパウトとして利用することができる。
【符号の説明】
【００３１】
１  スパウト
１０  スパウト本体
１１  装着部
１２  把持部
１２ａ、１２ｂ  フランジ
１３  注出口部
１３ａ  突条
１３ｂ  雄ねじ
１３ｃ  ラチェット歯
１４  導出補助部
２０  蓋体
２１  キャップ
２１ａ  周溝
２１ｂ  凹部
２２  タンパーリング
２２ａ  突起
２２ｂ  突条
２２ｃ  雌ねじ
２２ｄ  ラチェット爪
２３  連結部
【図１】
0005629909.tif 000002
【図２】
0005629909.tif 000003
【図３】
0005629909.tif 000004
【図４】
0005629909.tif 000005
【図５】
0005629909.tif 000006
【図６】
0005629909.tif 000007
【図７】
0005629909.tif 000008